(57)【要約】【課題】  広告効果をより確実に獲得出来得る広告付き配送伝票の提供。【解決手段】  配送先に配送される配送物に貼付され伝票基材（１１）上に剥離可能に設けられた剥離紙片（１４）に少なくとも該配送先に関する情報を与える配送伝票（１０）である。剥離紙片（１４）は、配送先に関する情報を与えるべき第１印刷部（１４ａ）と、広告情報を与えるべき第２印刷部（１４ｂ）と、を少なくとも有し、伝票基材（１１）から剥離した後に第１印刷部（１４ａ）と第２印刷部（１４ｂ）とを分割可能とする区画線状部（１８）を与えられていることを特徴とする。【選択図】  図１
2013159050.tif 000002
【特許請求の範囲】
【請求項１】
配送先に配送される配送物に貼付され伝票基材上に剥離可能に設けられた剥離紙片に少なくとも該配送先に関する情報を与える配送伝票であって、前記剥離紙片は、前記配送先に関する情報を与えるべき第１印刷部と、広告情報を与えるべき第２印刷部と、を少なくとも有し、前記伝票基材から剥離した後に前記第１印刷部と前記第２印刷部とを分割可能とする区画線状部を与えられていることを特徴とする広告付き配送伝票。
【請求項２】
前記区画線状部は、前記伝票基材から前記剥離紙を剥離した時に分離しないよう、切り込み部と連結部とを交互に並べたミシン目であることを特徴とする請求項１記載の広告付き配送伝票。
【請求項３】
前記剥離紙片の周囲に切り込み部又はミシン目を形成したことを特徴とする請求項２記載の広告付き配送伝票。
【請求項４】
前記区画線状部の両端部であって、前記剥離紙片の周囲の前記切り込み部又はミシン目の近傍を連結部としたことを特徴とする請求項３記載の広告付き配送伝票。
【発明の詳細な説明】
【技術分野】
【０００１】
本発明は、配送先に配送される配送物に貼付され伝票基材上に剥離可能に設けられた剥離紙片に少なくとも該配送先に関する情報を与える配送伝票に関し、特に、配送先に関する情報とともに割引券、クーポン、金券、くじなどを与える広告付き配送伝票に関する。
【背景技術】
【０００２】
荷物を荷主から配送先へと配送する配送業者は、配送伝票に記載された情報に基づいて荷物を配送している。つまり、配送伝票は、荷主の住所、氏名、配送先の住所、受取人の氏名及び荷物の内容物に関する情報などを記載され、配送先へ到着するまで荷物に添付される。配送先の受取人は、荷主が誰であるかなどを配送伝票によって確認し、荷物を受け取る。ここで配送伝票は、配送先の受取人が荷物の受け取りのために少なくとも目にするから、開封されずに目に触れることなく捨てられてしまう可能性のあるダイレクトメールなどと比べて、より注目を受けやすい広告媒体でもある。そこで、配送伝票を広告媒体として利用することが提案されている。
【０００３】
例えば、特許文献１では、表面側に配送作業に必要な配送情報表示部を有する依頼者控票と、貼付票と、配達票兼受領票とを一端側で綴じ合わせ、その最上位に広告文を表示した広告票を配置し、この広告票と最上位の配達票兼受領票とを一端側で綴じ合わせて一体化した配送伝票を開示している。広告票と配達票兼受領票とを一体化することで広告効果を高めるようになされている。
【０００４】
また、特許文献２では、保護紙の表側の広告情報部を包囲するようにスリットを与え、この内側に剥離剤及び粘着剤を与え、粘着剤上に配送票と受領票とを含む伝票基材を配置した配送伝票が開示されている。ここで、受領票は広告情報部に対応する位置に配置され、その周囲をミシン目が包囲している。かかる配送伝票によれば、配送伝票を荷物に貼付するために保護紙を剥離しても広告情報部が伝票基材の裏側に残存し、受取人に荷物を引渡す際に受領票をミシン目に沿って伝票基材から分離すると、広告情報部が露出して受取人の注目を受けるようになされている。
【０００５】
ところで、配送伝票に含まれる広告情報について、特定の商業施設で何らかの利益を受け得るような広告情報、例えば、割引券、クーポン、金券、くじ等とする場合がある。かかる場合、配送伝票から広告情報部分を切り離して、対応する商業施設に持参することが望まれる。
【０００６】
例えば、特許文献３では、分離可能なクーポンを与えた配送伝票が開示されている。伝票基材は、第１分離予定線で区画された貼付票及び配達票からなり、貼付票は第２分離予定線で区画され識別情報を表示する固着片と剥離片とをからなる。固着片は、接着層でタック紙に剥離不能に貼付されている。クーポンとしての剥離片は、第２分離予定線で囲まれて、剥離層によってタック紙に剥離可能に貼付されている。かかる配送伝票では、受取人はクーポンを配送伝票から分離させることが容易にできる。
【先行技術文献】
【特許文献】
【０００７】
【特許文献１】特開２００１−２４６８７６号公報
【特許文献２】特開２００５−１３２０１２号公報
【特許文献３】特開２００２−０７２８８８号公報
【発明の概要】
【発明が解決しようとする課題】
【０００８】
上記したクーポンのような、特定の商業施設で何らかの利益を受け得る広告情報を配送伝票に与える場合、一般的に、受取人が荷物を受け取った場所及びその時点で使用するものではないため、広告情報を積極的に利用する意思が沸きづらいことも多い。すなわち、配送伝票から広告情報部分を切り離すことなく廃棄してしまうことも多くなる。
【０００９】
本発明は、以上のような状況に鑑みてなされたものであって、その目的とするところは、広告効果をより確実に獲得出来得る広告付き配送伝票を提供することにある。
【課題を解決するための手段】
【００１０】
本発明による配送伝票は、配送先に配送される配送物に貼付され伝票基材上に剥離可能に設けられた剥離紙片に少なくとも該配送先に関する情報を与える配送伝票であって、前記剥離紙片は、前記配送先に関する情報を与えるべき第１印刷部と、広告情報を与えるべき第２印刷部と、を少なくとも有し、前記伝票基材から剥離した後に前記第１印刷部と前記第２印刷部とを分割可能とする区画線状部を与えられていることを特徴とする。
【００１１】
かかる発明によれば、第１印刷部と第２印刷部とを一体の剥離紙片として剥離させて、受取人が第１印刷部を剥離させようと剥離紙片を剥離させた場合であっても、広告情報を与えられた第２印刷部を手に取ることとなる。更に、この第２印刷部は剥離紙片を剥離した後で第１印刷部と容易に分割できるので、配送先と異なる場所へ持参して使用することが容易である。つまり、広告効果をより確実に獲得出来得るのである。
【００１２】
上記した発明において、前記区画線状部は、前記伝票基材から前記剥離紙を剥離した時に分離しないよう、切り込み部と連結部とを交互に並べたミシン目であることを特徴としてもよい。かかる発明によれば、剥離紙片を剥離した後での第１印刷部と第２印刷部との分割を容易にでき、配送先と異なる場所での第２印刷部の使用をより容易にさせ、広告効果をより確実に獲得出来得るのである。
【００１３】
上記した発明において、前記剥離紙片の周囲に切り込み部又はミシン目を形成したことを特徴としてもよい。かかる発明によれば、剥離紙片の剥離を容易にして、受取人に第２印刷部を確実に手に取らせ、広告効果をより確実に獲得出来得るのである。
【００１４】
上記した発明において、前記区画線状部の両端部であって、前記剥離紙片の周囲の前記切り込み部又はミシン目の近傍を連結部としたことを特徴としてもよい。かかる発明によれば、第１印刷部と第２印刷部との意図しない分割を防止し、受取人に第２印刷部をより確実に手に取らせ、広告効果をより確実に獲得出来得るのである。
【図面の簡単な説明】
【００１５】
【図１】本発明による１つの実施例である配送伝票の平面図及び断面図である。
【図２】配送伝票の使用方法を示すフローチャートである。
【図３】貼付票及び割引券を剥離させる際の配送伝票の平面図である。
【図４】分割した貼付票及び割引券の平面図である。
【図５】本発明による他の１つの実施例である配送伝票の平面図及び断面図である。
【発明を実施するための形態】
【００１６】
〈実施例１〉
本発明による１つの実施例である配送伝票について図１を用いてその詳細を説明する。
【００１７】
図１に示すように、配送伝票１０は、裏面側から順に台紙１００、基材紙１１及び剥離紙１２からなる３層構造の複層シートである。配送伝票１０は配送物に貼付されてその配送に使用される。
【００１８】
台紙１００の表面（表側の面）にはシリコーンなどを用いた樹脂コーティングが施されている。また、台紙１００の表面と接する基材紙１１の裏面には粘着材が塗布されている。これにより、基材紙１１は台紙１００から容易に剥離でき、剥離させた後に配送物へ貼り付けることができる。
【００１９】
また、基材紙１１及びその表側に重ねられた剥離紙１２は、それぞれその表面及び裏面に微粘着性の接着材を塗布された上で圧接加工を施されて接着されている。かかる接着では、互いに容易に剥離でき、一方で、剥離した後に再び接着することがない。これにより剥離紙１２は、後述するように剥離させて使用する際に他の紙類と重ねて持ち運ぶなどしても貼り付くことがない。
【００２０】
剥離紙１２は、押印欄１３ａを表面に設けた運送業者剥離シート１３と、運送業者剥離シート１３に並列する受取人剥離シート１４と、運送業者剥離シート１３及び受取人剥離シート１４を包囲する枠部１５とを含む。運送業者剥離シート１３、受取人剥離シート１４及び枠部１５はそれぞれ、剥離紙１２をスリット状に貫通する切込部１６に沿って区切られる。これにより、運送業者剥離シート１３と受取人剥離シート１４を、切込部１６に沿ってそれぞれ分離して基材紙１１から剥離することができる。枠部１５により、接触による摩擦などによって基材紙１１から受取人剥離シート１４が意図せず剥離することを抑制することができる。
【００２１】
運送業者剥離シート１３は、いわゆる配達票であって、配送を依頼する依頼主の氏名や住所、配送先となる受取人の氏名や住所などの必要な情報を記入又は印刷され、伝票番号を印刷された上で使用される。また、押印欄１３ａは、荷物の配送を完了したことを証明するために配送先において受取人による押印又はサインを受ける欄である。
【００２２】
受取人剥離シート１４は貼付票１４ａと割引券（クーポン）１４ｂとを含み、貼付票１４ａと割引券１４ｂは互いに区画線状部１８で区切られる。区画線状部１８は、剥離紙１２を貫通する貫通孔１９と、貼付票１４ａ及び割引券１４ｂを連結する連結部２０とを交互に並べたミシン目である。区画線状部１８の両端部、すなわち切込部１６の近傍は連結部２０で形成されている。なお、受取人剥離シート１４の隅にはコーナーカット部１７が設けられている。コーナーカット部１７を摘むことで、受取人剥離シート１４を基材紙１１から容易に剥離させることができる。また、枠部１５があることで、コーナーカット部１７をその他の部分に比べて摘み易くしている。
【００２３】
貼付票１４ａは、配送を依頼する依頼主の氏名や住所、配送先となる受取人の氏名や住所などの必要な情報を記入又は印刷され、伝票番号と、伝票番号をバーコードリーダーなどで読み取るためのバーコードなどを印刷された上で使用される。ここで、貼付票１４ａには、受取人の氏名や住所などの個人情報が印刷される。配送後に貼付票１４ａを剥離させずに配送物の梱包材に貼付したままにすると、貼付票１４ａに印刷された個人情報が、梱包材の廃棄などに伴い受取人以外の人の目に触れるなどして流出しかねない。そこで、受取人は、個人情報保護を目的として、配送後に貼付票１４ａを剥離させ、シュレッダー処理することが多い。
【００２４】
割引券１４ｂは、配送伝票から分離して特定の商業施設など、配送先と異なる場所で受取人により使用され、受取人に何らかの利益を与え得る広告情報を含むものである。この広告情報は、例えば、特定の商業施設で使用可能な割引券やクーポン、商品やサービスとの引換券、特定のくじへの参加券、特定の催事の入場券などの広告情報である。つまり割引券１４ｂは、このような広告情報を印刷された他の名称を有する紙片とすることもできる。ここでは、割引券１４ｂは、特定の商業施設で使用すると、所定の商品の購入価格から所定の金額を割り引くサービスを受けることができる広告情報を印刷された紙片である。
【００２５】
次に、配送伝票１０の使用方法について図２に沿って説明する。
【００２６】
図１を併せて参照すると、配送を依頼する依頼主により必要事項を記入又は印刷された配送伝票１０は、台紙１００を剥離させた上で、基材紙１１の裏面に塗布された粘着材によって配送する配送物に貼り付けられる（Ｓ１）。続いて、配送伝票１０を貼り付けられた配送物は依頼主により運送業者へ引渡される（Ｓ２）。配送物は、運送業者により貼付票１４ａに記載された情報などに従って配送される。続いて、配送伝票１０を貼り付けられた配送物は運送業者により受取人へ引渡される（Ｓ３）。続いて、配送伝票１０に含まれる運送業者剥離シート１３は、運送業者により剥離される（Ｓ４）。詳細には、運送業者剥離シート１３は、受取人による配送物受け取りを確認するための押印欄１３ａへの受取人の押印又はサインの受領を受けた上で、基材紙１１から剥離される。
【００２７】
続いて、受取人剥離シート１４は受取人により剥離される（Ｓ５）。詳細には、図３を併せて参照すると、受取人は、自らの個人情報を守るために個人情報の記載を含む貼付票１４ａを配送物から剥離させる。この際、貼付票１４ａは受取人剥離シート１４ごと基材紙１１から剥離される。
【００２８】
最後に、割引券１４ｂは、受取人により区画線状部１８に沿って貼付票１４ａから分割される（Ｓ６）。図４に示すように、割引券１４ｂは、個人情報の記載された貼付票１４ａと分離されて、配送先と異なる場所で受取人により使用される。
【００２９】
本実施例によれば、貼付票１４ａと割引券１４ｂとを一体の受取人剥離シート１４として剥離させることができる。つまり、受取人が自らの個人情報を保護するために貼付票１４ａを含む受取人剥離シート１４を剥離させると、割引券１４ｂを手に取ることになる。すなわち、割引券１４ｂを利用する意思がある場合だけでなく、割引券１４ｂを積極的に利用する意思が沸かない場合においてもこれを手に取らせることが可能である。加えて、貼付票１４ａと割引券１４ｂとを区画線状部１８で分割して受取人剥離シート１４から割引券１４ｂを分離できる。つまり、個人情報の流出を気にする必要がなく、特定の商業施設などでの割引券１４ｂの使用を容易にする。これらによって、配送先と異なる場所での割引券１４ｂの使用を受取人に強く促すことができる。つまり、高い広告効果をより確実に得ることができるのである。
【００３０】
さらに、切込部１６は、運送業者剥離シート１３、受取人剥離シート１４及び枠部１５をそれぞれ区切るように剥離紙１２をスリット状に貫通する。これにより、受取人剥離シート１４の切込部１６に沿った剥離を容易にするとともに、かかる剥離の際にミシン目である区画線状部１８で分割されることを防止できる。また、区画線状部１８の両端部は連結部２０で形成されている。これにより、受取人剥離シート１４を基材紙１１から剥離する際に、貼付票１４ａと割引券１４ｂとの区画線状部１８に沿った意図しない分割を防止し、受取人剥離シート１４の切込部１６に沿った枠部１５からの分離をより確実にする。つまり、区画線状部１８の両端部の連結部と切込部１６とにより、貼付票１４ａと割引券１４ｂとをより確実に一体の受取人剥離シート１４として剥離させ、割引券１４ｂをより確実に受取人の手に取らせることができる。
【００３１】
さらに、受取人剥離シート１４の剥離後にあっては、区画線状部１８はミシン目であるので、これに沿った分割を容易とする。これにより、割引券１４ｂは、個人情報の記載された貼付票１４ａから容易に分割される。つまり、受取人は割引券１４ｂをより容易に利用することができる。また、分割された貼付票１４ａは、個人情報保護のためにシュレッダーなどで処分される。
【００３２】
さらに、上記したように、剥離紙１２は、剥離後に他の紙類と重ねて持ち運ぶなどしても貼り付くことがないので、剥離紙１２に含まれる割引券１４ｂも他の紙類と貼り付くことなく容易に取り扱うことができ、配送先と異なる場所での利用を簡便にする。
【００３３】
〈実施例２〉
次に、本発明による他の１つの実施例である配送伝票について図５を用いてその詳細を説明する。
【００３４】
図５に示すメール便用配送伝票１０’は、メール便で使用される配送伝票である。メール便では、配達票を必要としていないので、メール便用配送伝票１０’は、配送伝票１０のような運送業者剥離シートを含まない。メール便用配送伝票１０’は、配送伝票１０と同様に３層構造の複層シートであるが、基材紙１１とその表側に重ねられた剥離紙１２とは、枠部１５に対応する部分のみに接着材を塗布されて接着されている。つまり、受取人剥離シート１４と基材紙１１とは接着されていない。
【００３５】
受取人剥離シート１４の周囲は切断部２１により囲われており、貼付票１４ａと割引券１４ｂとは区画線状部１８で区切られる。区画線状部１８は配送伝票１０と同様のミシン目である。
【００３６】
切断部２１は、受取人剥離シート１４及び枠部１５を連結する連結部２３と、剥離紙１２を貫通する貫通孔２２とを交互に並べたミシン目である。貫通孔２２は、切断部２１の延びる方向に沿う主線部２２ａと、主線部２２ａの一端に接続し、主線部２２ａに対して屈曲する屈曲部２２ｂとを有する。屈曲部２２ｂはその右側（又は上側）に隣接して位置する貫通孔２２の左側（又は下側）端部から左下方向に延びる仮想線２４に交差するよう配置されている。また、受取人剥離シート１４はコーナーカット部１７を右上隅に有しており、これを利用することでその剥離方向Ｄは左下方向を向く。
【００３７】
ここで、コーナーカット部１７を摘んで受取人剥離シート１４を剥離方向Ｄに向けて剥離しようとすると、連結部２３は右側（又は上側）に隣接して位置する貫通孔２２の左側（又は下側）端部から、仮想線２４に沿った方向に、すなわち剥離方向Ｄに沿った方向に破断しやすい。仮想線２４には隣接する貫通孔２２の屈曲部２２ｂが交差しているので、かかる破断は隣接する貫通孔２２に連鎖する。すなわち、破断は隣接する貫通孔２２同士をつなげるように連鎖する。このような連結部２３の破断を繰り返して、受取人剥離シート１４は切断部２１に沿って枠部１５から切断される。すなわち、貼付票１４ａ及び割引券１４ｂが分割されることなく、受取人剥離シート１４としての切断部２１に沿った基材紙１１からの剥離を容易にする。
【００３８】
また、区画線状部１８は配送伝票１０と同様にその両端部を連結部２０で形成されている。これにより、受取人剥離シート１４を基材紙１１から剥離する際に、貼付票１４ａと割引券１４ｂとの区画線状部１８に沿った意図しない分割を防止し、受取人剥離シート１４の切断部２１に沿った枠部１５からの分離をより確実にする。つまり、区画線状部１８の両端部の連結部２０と切断部２１とにより、貼付票１４ａと割引券１４ｂとをより確実に一体の受取人剥離シート１４として剥離させ、割引券１４ｂをより確実に受取人の手に取らせることができる。
【００３９】
メール便用配送伝票１０’によれば、メール便においても配送伝票１０と同様に、受取人が自らの個人情報を保護するために貼付票１４ａを含む受取人剥離シート１４を剥離させると、割引券１４ｂを手に取ることになる。すなわち、割引券１４ｂを利用する意思がある場合だけでなく、割引券１４ｂを積極的に利用する意思が沸かない場合においてもこれを手に取らせることが可能である。加えて、貼付票１４ａと割引券１４ｂとを区画線状部１８で分割して受取人剥離シート１４から割引券１４ｂを分離できる。つまり、個人情報の流出を気にすることなく、特定の商業施設などでの割引券１４ｂの使用を容易にする。これらによって、配送先と異なる場所での割引券１４ｂの使用を受取人に強く促すことができる。つまり、高い広告効果をより確実に得るメール便用配送伝票を提供することができる。
【００４０】
ここまで本発明による代表的実施例及びこれに基づく変更例を説明したが、本発明は必ずしもこれら実施例及び変更例に限定されるものではなく、当業者であれば、添付した特許請求の範囲を逸脱することなく種々の代替実施例を見出すことができるであろう。
【符号の説明】
【００４１】
１０    配送伝票
１１    伝票基材
１４    受取人剥離シート
１４ａ  貼付票
１４ｂ  割引券
１８    区画線状部
【図１】
2013159050.tif 000003
【図２】
2013159050.tif 000004
【図３】
2013159050.tif 000005
【図４】
2013159050.tif 000006
【図５】
2013159050.tif 000007